(57)【要約】【課題】外壁側の大梁よりも内側に設けられた中間梁を介して、ウェブに形成された貫通孔の内径よりも大きい外径を有する２本のダクトを接続することができるダクトの設置構造及び建物を得る。【解決手段】ダクトの設置構造３０は、中間梁２２の一方側に配置された第１ダクト２６Ａと、他方側に配置された第２ダクト２６Ｂと、中間梁２２のウェブ２２Ａに形成された貫通孔２２Ｄに挿入され、第１ダクト２６Ａと第２ダクト２６Ｂを接続する接続ダクト３２と、を有している。ここで、接続ダクト３２によって、第１ダクト２６Ａと第２ダクト２６Ｂが中間梁２２を介して接続されるので、ウェブ２２Ａに形成された貫通孔２２Ｄの直径Ｄ１よりも大きい外径Ｄ２を有する第１ダクト２６Ａ及び第２ダクト２６Ｂを接続することができる。【選択図】図２
2013076534.tif 000002
【特許請求の範囲】
【請求項１】
外壁側の大梁よりも内側に設けられた中間梁のウェブの一方側に配置された第１ダクトと、
前記ウェブの他方側に配置された第２ダクトと、
前記第１ダクトの外径よりも小さい外径の一端部と前記第２ダクトの外径よりも小さい外径の他端部とを備え、前記ウェブに形成された貫通孔に挿入されると共に、前記一端部が前記第１ダクトの内側に挿入され、前記他端部が前記第２ダクトの内側に挿入された接続ダクトと、
を有するダクトの設置構造。
【請求項２】
前記第１ダクトの端部及び前記第２ダクトの端部の少なくとも一方が、前記ウェブと接触している請求項１に記載のダクトの設置構造。
【請求項３】
前記接続ダクトの外周面には、前記ウェブと接触する凸部が形成されている請求項１又は請求項２に記載のダクトの設置構造。
【請求項４】
前記凸部は、前記第１ダクト又は前記第２ダクトの外径よりも大きい外径のフランジ部であり、前記ウェブと前記第１ダクト又は前記第２ダクトとで該フランジ部が挟まれている請求項３に記載のダクトの設置構造。
【請求項５】
前記接続ダクトの外周面と、前記第１ダクト及び前記第２ダクトの少なくとも一方の内周面との隙間には、該隙間を閉じる閉塞手段が設けられている請求項１から請求項４のいずれか１項に記載のダクトの設置構造。
【請求項６】
前記閉塞手段は、一端側の外径よりも他端側の外径が大きい筒体であり、一端側が前記接続ダクトに接続され、他端側が前記第１ダクト又は前記第２ダクトに接続される請求項５に記載のダクトの設置構造。
【請求項７】
前記接続ダクトと前記第１ダクト及び前記第２ダクトの少なくとも一方とが接着剤で接着、又はアルミテープを巻いて固定されている請求項１から請求項６のいずれか１項に記載のダクトの設置構造。
【請求項８】
請求項１から請求項７のいずれか１項に記載のダクトの設置構造を備えた建物。
【発明の詳細な説明】
【技術分野】
【０００１】
本発明は、ダクトの設置構造及び建物に関する。
【背景技術】
【０００２】
特許文献１のダクトの配設構造は、外壁に沿って延在する鉄骨梁に設けられダクトを保持するダクトヘッダーと、ガラリパネルとを有している。ダクトヘッダーは、箱状のケーシングを有しており、ケーシングの開口の反対側には、ダクトが接続されるスリーブが延伸している。そして、ダクトヘッダーは、固定部により鉄骨梁に固定されており、開口にガラリパネルが取り付けられている。
【先行技術文献】
【特許文献】
【０００３】
【特許文献１】特開２００９−２５７７１３号公報
【発明の概要】
【発明が解決しようとする課題】
【０００４】
しかしながら、上記の特許文献１に開示された先行技術では、ダクトヘッダーの一方側がケーシング及びガラリパネルで構成されているため、外壁側の大梁よりも内側に設けられた中間梁を介して複数のダクトを接続する構造にダクトヘッダーを適用することができなかった。
【０００５】
本発明は、外壁側の大梁よりも内側に設けられた中間梁を介して、ウェブに形成された貫通孔の内径よりも大きい外径を有する２本のダクトを接続することができるダクトの設置構造及び建物を得ることが目的である。
【課題を解決するための手段】
【０００６】
請求項１の発明に係るダクトの設置構造は、外壁側の大梁よりも内側に設けられた中間梁のウェブの一方側に配置された第１ダクトと、前記ウェブの他方側に配置された第２ダクトと、前記第１ダクトの外径よりも小さい外径の一端部と前記第２ダクトの外径よりも小さい外径の他端部とを備え、前記ウェブに形成された貫通孔に挿入されると共に、前記一端部が前記第１ダクトの内側に挿入され、前記他端部が前記第２ダクトの内側に挿入された接続ダクトと、を有する。
【０００７】
請求項１の発明に係るダクトの設置構造では、第１ダクト及び第２ダクトの外径よりも小さい外径とされた接続ダクトが、中間梁のウェブに形成された貫通孔に挿入される。そして、貫通孔に挿入した接続ダクトの一端部、他端部に第１ダクト、第２ダクトを接続することで、第１ダクトと第２ダクトが中間梁を介して接続される。これにより、外壁側の大梁よりも内側に設けられた中間梁を介して、ウェブに形成された貫通孔の内径よりも大きい外径を有する２本のダクトを接続することができる。
【０００８】
請求項２の発明に係るダクトの設置構造は、前記第１ダクトの端部及び前記第２ダクトの端部の少なくとも一方が、前記ウェブと接触している。
【０００９】
請求項２の発明に係るダクトの設置構造では、第１ダクトの端部及び第２ダクトの端部の少なくとも一方がウェブと接触することで、第１ダクトの端部及び第２ダクトの端部の少なくとも一方からの気体の漏れを抑制することができる。
【００１０】
請求項３の発明に係るダクトの設置構造は、前記接続ダクトの外周面には、前記ウェブと接触する凸部が形成されている。
【００１１】
請求項３の発明に係るダクトの設置構造では、接続ダクトをウェブの貫通孔に挿入したとき、凸部がウェブと接触することで、接続ダクトの位置が決まる。このように、中間梁のウェブに対して接続ダクトを位置決めすることができる。
【００１２】
請求項４の発明に係るダクトの設置構造は、前記凸部は、前記第１ダクト又は前記第２ダクトの外径よりも大きい外径のフランジ部であり、前記ウェブと前記第１ダクト又は前記第２ダクトとで該フランジ部が挟まれている。
【００１３】
請求項４の発明に係るダクトの設置構造では、ウェブと第１ダクト又は第２ダクトとの間にフランジ部が配置されることで、ウェブと第１ダクト又は第２ダクトとの隙間が埋められる。これにより、第１ダクトから第２ダクトまでの気体の流路の気密性を高めることができる。さらに、フランジ部によってウェブと接続ダクトとの接触面積が増加するので、接続ダクトの位置決めが容易となる。
【００１４】
請求項５の発明に係るダクトの設置構造は、前記接続ダクトの外周面と、前記第１ダクト及び前記第２ダクトの少なくとも一方の内周面との隙間には、該隙間を閉じる閉塞手段が設けられている。
【００１５】
請求項５の発明に係るダクトの設置構造では、接続ダクトの外周面と、第１ダクト及び第２ダクトの少なくとも一方の内周面との隙間が、閉塞手段によって閉じられる。これにより、接続ダクトと第１ダクト、第２ダクトとの接続部分の隙間から気体が漏れるのを抑制することができる。
【００１６】
請求項６の発明に係るダクトの設置構造は、前記閉塞手段は、一端側の外径よりも他端側の外径が大きい筒体であり、一端側が前記接続ダクトに接続され、他端側が前記第１ダクト又は前記第２ダクトに接続される。
【００１７】
請求項６の発明に係るダクトの設置構造では、接続ダクトの外径と、第１ダクトの内径又は第２ダクトの内径との差が大きい構成であっても、筒体によって接続ダクトと第１ダクト又は第２ダクトとが接続されて隙間が閉塞されるので、接続ダクトと第１ダクト、第２ダクトとの接続部分の隙間から気体が漏れるのを抑制することができる。
【００１８】
請求項７の発明に係るダクトの設置構造は、前記接続ダクトと前記第１ダクト及び前記第２ダクトの少なくとも一方とが接着剤で接着、又はアルミテープを巻いて固定されている。
【００１９】
請求項７の発明に係るダクトの設置構造では、接続ダクトと第１ダクト及び第２ダクトの少なくとも一方とが接着剤で接着、又はアルミテープを巻いて固定されているので、接続ダクトと第１ダクト及び第２ダクトの少なくとも一方との隙間から気体が漏れるのを抑制することができる。
【００２０】
請求項８の発明に係る建物は、請求項１から請求項７のいずれか１項に記載のダクトの設置構造を備えている。
【００２１】
請求項８の発明に係る建物では、外壁側の大梁よりも内側に設けられた中間梁において、接続ダクトにより第１ダクトと第２ダクトが接続されるので、中間梁の貫通孔の大きさに関わらず第１ダクトと第２ダクトが接続可能となる。これにより、中間梁の下側にダクトを設置する等、中間梁を避けてダクトを設ける必要がなくなり、ダクトの配置に合わせて天井の高さを変えずに済む。
【発明の効果】
【００２２】
以上説明したように、請求項１に記載の本発明に係るダクトの設置構造によれば、外壁側の大梁よりも内側に設けられた中間梁を介して、ウェブに形成された貫通孔の内径よりも大きい外径を有する２本のダクトを接続することができるという優れた効果を有する。
【００２３】
請求項２に記載の本発明に係るダクトの設置構造によれば、第１ダクトの端部及び第２ダクトの端部の少なくとも一方からの気体の漏れを抑制することができるという優れた効果を有する。
【００２４】
請求項３に記載の本発明に係るダクトの設置構造によれば、中間梁のウェブに対して接続ダクトを位置決めすることができるという優れた効果を有する。
【００２５】
請求項４に記載の本発明に係るダクトの設置構造によれば、第１ダクトから第２ダクトまでの気体の流路の気密性を高めることができるという優れた効果を有する。
【００２６】
請求項５に記載の本発明に係るダクトの設置構造によれば、接続ダクトと第１ダクト、第２ダクトとの接続部分の隙間から気体が漏れるのを抑制することができるという優れた効果を有する。
【００２７】
請求項６に記載の本発明に係るダクトの設置構造によれば、接続ダクトと第１ダクト、第２ダクトとの接続部分の隙間から気体が漏れるのを抑制することができるという優れた効果を有する。
【００２８】
請求項７に記載の本発明に係るダクトの設置構造によれば、接続ダクトと第１ダクト及び第２ダクトの少なくとも一方との隙間から気体が漏れるのを抑制することができるという優れた効果を有する。
【００２９】
請求項８に記載の本発明に係る建物によれば、ダクトの配置に合わせて天井の高さを変えずに済むという優れた効果を有する。
【図面の簡単な説明】
【００３０】
【図１】第１実施形態に係る建物の部分間取り図である。
【図２】（Ａ）第１実施形態に係るダクトの設置構造の側面図である。（Ｂ）第１実施形態に係るダクトの設置構造の断面図である。
【図３】（Ａ）、（Ｂ）、（Ｃ）第１実施形態に係る接続ダクトを用いて中間梁の両側に配置された第１ダクトと第２ダクトを接続する手順を示す工程図である。
【図４】（Ａ）第１実施形態に係る接続ダクトをＬ型アングルを用いて中間梁に取り付ける状態を示す斜視図である。（Ｂ）第１実施形態に係る接続ダクトの一端に第１ダクトを接続した状態を示す斜視図である。
【図５】（Ａ）第２実施形態に係るダクトの設置構造の側面図である。（Ｂ）第２実施形態に係るダクトの設置構造の断面図である。
【図６】（Ａ）第２実施形態に係る接続ダクト及び中間梁を示す斜視図である。（Ｂ）第２実施形態に係る接続ダクトを中間梁に取り付けた状態を示す正面図である。
【図７】（Ａ）、（Ｂ）、（Ｃ）第２実施形態に係る接続ダクトを用いて中間梁の両側に配置された第１ダクトと第２ダクトを接続する手順を示す工程図である。
【図８】（Ａ）第３実施形態に係るダクトの設置構造の側面図である。（Ｂ）第３実施形態に係るダクトの設置構造の断面図である。
【図９】第３実施形態に係るダクトの設置構造を分解した状態を示す斜視図である。
【図１０】（Ａ）、（Ｂ）、（Ｃ）第３実施形態に係る接続ダクトを用いて中間梁の両側に配置された第１ダクトと第２ダクトを接続する手順を示す工程図である。
【図１１】第３実施形態に係るダクトの設置構造の変形例を示す断面図である。
【発明を実施するための形態】
【００３１】
（第１実施形態）
本発明の実施形態に係るダクトの設置構造及び建物の一例について説明する。
【００３２】
図１には、第１実施形態の建物１０の間取りの一部が示されている。建物１０は、一例として、基礎（図示省略）上に複数の鉄骨の柱１２及び梁１４を組み上げた鉄骨軸組構造とされており、外側が外壁１６で覆われている。なお、以後の説明では、梁１４のうち、外壁１６に最も近い天井梁を外側大梁１５という。そして、床側の梁１４（床大梁）については説明を省略し、梁１４は、天井梁を指すものとする。
【００３３】
また、建物１０は、一例として、洗面室１８を有している。洗面室１８の天井部は、４本の梁１４（外側大梁１５を含む）で矩形状に囲まれている。そして、梁１４のうち外側大梁１５と直交配置された２本の梁１４Ａ、１４Ｂの軸方向（架設方向）中間部分には、外側大梁１５と平行となるように中間梁２２が架設されている。即ち、中間梁２２は、建物１０内で外側大梁１５よりも内側に配置されている。
【００３４】
図２（Ｂ）に示すように、中間梁２２は、一例として、Ｈ形鋼で構成されており、鉛直方向に直立した板状のウェブ２２Ａと、ウェブ２２Ａの上端でウェブ２２Ａの厚さ方向の両側に張り出された上側フランジ２２Ｂと、ウェブ２２Ａの下端でウェブ２２Ａの厚さ方向の両側に張り出された下側フランジ２２Ｃと、を有している。なお、以後の説明では、ウェブ２２Ａの厚さ方向をＸ方向（矢印Ｘで図示）、中間梁２２の架設方向でありＸ方向と直交する方向をＹ方向（矢印Ｙで図示）、Ｘ方向及びＹ方向と直交する鉛直方向をＺ方向（矢印Ｚで図示）とする。
【００３５】
ウェブ２２Ａには、Ｘ方向に貫通した円形の貫通孔２２ＤがＹ方向に間隔をあけて複数箇所形成されている。貫通孔２２Ｄの直径（内径）はＤ１となっている。また、ウェブ２２Ａの他方側（外側大梁１５（図１参照）から遠い側）の側面２２Ｅには、後述する第２ダクト２６Ｂの端部が接触しており、ウェブ２２Ａの一方側（外側大梁１５（図１参照）に近い側）の側面２２Ｆには、後述する第１ダクト２６Ａの端部が接触している。
【００３６】
一方、図１に示すように、洗面室１８内の天井部において、梁１４Ａ、梁１４、梁１４Ｂ、及び中間梁２２で囲まれた空間部ＳＡには、空調手段の一例として、セントラル換気扇２４が設けられている。なお、梁１４Ａ、中間梁２２、梁１４Ｂ、及び外側大梁１５で囲まれた空間部をＳＢとして、空間部ＳＡと区別する。
【００３７】
セントラル換気扇２４は、洗面室１８内の壁に設けられたスイッチ（図示省略）のＯＮ、ＯＦＦによって作動又は作動停止が選択される。また、セントラル換気扇２４の側面には、外壁１６側へ向けて延びる略円筒状のダクト２６、２８の他端が接続されている。ダクト２６、２８は、中間梁２２の架設方向に間隔をあけてほぼ平行に配置されている。
【００３８】
ダクト２６は、中間梁２２を境にして第１ダクト２６Ａと第２ダクト２６Ｂとに分割（切断）されており、第１ダクト２６Ａが空間部ＳＢ内に配置され、第２ダクト２６Ｂが空間部ＳＡ内に配置されている。そして、後述するダクトの設置構造３０によって、第１ダクト２６Ａと第２ダクト２６Ｂが接続されている。また、第１ダクト２６Ａの一端は、外側大梁１５を貫通した筒状の接続部材２６Ｃの他端に接続されており、接続部材２６Ｃの一端（開口）は、外壁１６から外側へ露出されている。さらに、接続部材２６Ｃの一端は、外壁１６に取り付けられ下方側が開放された屋外フード２７で覆われている。
【００３９】
ダクト２６と同様に、ダクト２８は、中間梁２２を境にして第１ダクト２８Ａと第２ダクト２８Ｂとに分割（切断）されており、第１ダクト２８Ａが空間部ＳＢ内に配置され、第２ダクト２８Ｂが空間部ＳＡ内に配置されている。そして、後述するダクトの設置構造３０によって、第１ダクト２８Ａと第２ダクト２８Ｂが接続されている。また、第１ダクト２８Ａの一端は、外側大梁１５を貫通した筒状の接続部材２８Ｃの他端に接続されており、接続部材２８Ｃの一端（開口）は、外壁１６から外側へ露出されている。さらに、接続部材２８Ｃの一端は、外壁１６に取り付けられ下方側が開放された屋外フード２９で覆われている。
【００４０】
このように、ダクト２６とダクト２８は同様の構成であるため、以後の説明ではダクト２６側のダクトの設置構造３０について説明し、ダクト２８側のダクトの設置構造３０の説明は省略する。
【００４１】
次に、ダクトの設置構造３０について説明する。
【００４２】
図２（Ａ）、（Ｂ）に示すように、ダクトの設置構造３０は、中間梁２２のウェブ２２ＡのＸ方向における一方側に配置された第１ダクト２６Ａと、ウェブ２２ＡのＸ方向における他方側に配置された第２ダクト２６Ｂと、第１ダクト２６Ａと第２ダクト２６Ｂとを接続する接続ダクト３２と、を含んで構成されている。
【００４３】
図２（Ｂ）に示すように、第１ダクト２６Ａ及び第２ダクト２６Ｂは、蛇腹状に形成された筒体であり、外径（最大外径）がＤ２、内径がＤ３となっている。外径Ｄ２は、貫通孔２２Ｄの直径Ｄ１よりも大きく、内径Ｄ３は、貫通孔２２Ｄの直径Ｄ１とほぼ同じ大きさとなっている。なお、第１ダクト２６Ａ及び第２ダクト２６Ｂは、外側が蛇腹状となっているが、内側は内径Ｄ３で連続した円筒状となっている。
【００４４】
一方、接続ダクト３２は、一例として、内径がＤ５の円筒体であり、第１ダクト２６Ａの内径Ｄ３よりも小さい外径Ｄ４の一端部と、第２ダクト２６Ｂの内径Ｄ３よりも小さい外径Ｄ４の他端部とを備えている。また、接続ダクト３２の中心軸方向（Ｘ方向）の長さは、該接続ダクト３２が貫通孔２２Ｄに挿入されウェブ２２Ａに取り付けられた状態において、ウェブ２２Ａの両側にそれぞれ長さＬ１で露出するように予め設定されている。さらに、接続ダクト３２のＹ方向の両側には、ウェブ２２Ａに接続ダクト３２を取り付けるための取付孔（図示省略）が形成されている。
【００４５】
図２（Ａ）に示すように、接続ダクト３２は、Ｘ方向及びＹ方向へ向けてＬ字状に折り曲げられた固定金具（取付手段の一例）であるＬ型アングル３６によって、ウェブ２２Ａに取り付けられている。Ｌ型アングル３６は、Ｘ−Ｚ面に沿って配置され接続ダクト３２の側面と接触する平板状の第１取付部３６Ａと、Ｙ−Ｚ面に沿って配置されウェブ２２Ａの側面２２Ｅと接触する平板状の第２取付部３６Ｂとを備えている。なお、一例として、Ｌ型アングル３６は、接続ダクト３２のＹ方向の両側に１個ずつ設けられている。
【００４６】
第１取付部３６ＡのＺ方向中央には、Ｘ方向を長手方向とする長孔３６Ｃが形成されている。そして、タッピングネジ３７が長孔３６Ｃに挿入されると共に接続ダクト３２に締結されている。また、第２取付部３６ＢのＺ方向中央には、タッピングネジ３９が挿入される締結用孔４１（図４（Ａ）参照）が形成されており、ウェブ２２Ａには、タッピングネジ３９が締結される締結孔（図示省略）が形成されている。そして、タッピングネジ３９が締結用孔４１に挿入されると共にウェブ２２Ａに締結されている。
【００４７】
このようにして、ウェブ２２Ａに取り付けられた接続ダクト３２は、一端部が第１ダクト２６Ａの内側に挿入され、他端部が第２ダクト２６Ｂの内側に挿入されることで、第１ダクト２６Ａと第２ダクト２６Ｂとを接続している。
【００４８】
（作用）
次に、第１実施形態の作用について説明する。
【００４９】
第１ダクト２６Ａと第２ダクト２６Ｂを中間梁２２を介して接続する場合、図３（Ａ）に示すように、中間梁２２の貫通孔２２Ｄに接続ダクト３２を挿入する（ここでは一例として、Ｘ方向とは反対方向である矢印−Ｘ方向に挿入する）。
【００５０】
続いて、図４（Ａ）に示すように、タッピングネジ３９を用いて、２個のＬ型アングル３６の第２取付部３６Ｂをウェブ２２Ａの側面２２Ｅ側に固定する。そして、接続ダクト３２の挿入位置を調整した後、タッピングネジ３７を用いて、２個のＬ型アングル３６の第１取付部３６Ａを接続ダクト３２に固定する。これにより、中間梁２２に対して接続ダクト３２が固定される。
【００５１】
続いて、図３（Ｂ）に示すように、接続ダクト３２の他端部（側面２２Ｅ側）に−Ｘ方向へ向けて第２ダクト２６Ｂを外挿する（第２ダクト２６Ｂ内に接続ダクト３２の他端部を挿入する）。なお、このとき接続ダクト３２と第２ダクト２６Ｂとの間に隙間ができないように、予め、接続ダクト３２の外周面に即乾性の接着剤（即乾性ボンド）を塗布して接続ダクト３２と第２ダクト２６Ｂを接着したり、アルミテープを接続ダクト３２の外周面及び第２ダクト２６Ｂの外周面に巻いて接続ダクト３２と第２ダクト２６Ｂを固定してもよい。
【００５２】
続いて、図４（Ｂ）に示すように、第２ダクト２６Ｂの端部をウェブ２２Ａの側面２２Ｅに接触させる。これにより、Ｌ型アングル３６は、接続ダクト３２と共に第２ダクト２６Ｂで覆われる。
【００５３】
続いて、図３（Ｃ）に示すように、接続ダクト３２の一端部（側面２２Ｆ側）に＋Ｘ方向へ向けて第１ダクト２６Ａを外挿する（第１ダクト２６Ａ内に接続ダクト３２の一端部を挿入する）。なお、このとき、接続ダクト３２と第１ダクト２６Ａとの間に隙間ができないように、予め、接続ダクト３２の外周面に即乾性の接着剤（即乾性ボンド）を塗布して接続ダクト３２と第１ダクト２６Ａを接着したり、アルミテープを接続ダクト３２の外周面及び第１ダクト２６Ａの外周面に巻いて接続ダクト３２と第１ダクト２６Ａを固定してもよい。
【００５４】
続いて、図２（Ｂ）に示すように、第１ダクト２６Ａの端部をウェブ２２Ａの側面２２Ｆに接触させる。このようにして、中間梁２２を挟んで両側に配置された第１ダクト２６Ａと第２ダクト２６Ｂが、接続ダクト３２によって接続され、ダクトの設置構造３０が形成される。なお、図１に示すように、予め接続部材２６Ｃが外側大梁１５に取り付けられている。そして、第１ダクト２６Ａの一端が接続部材２６Ｃの他端に接続され、第２ダクト２６Ｂの他端がセントラル換気扇２４に接続される。ここで、セントラル換気扇２４によって第２ダクト２６Ｂへ送り込まれた気体（空気）が、図２（Ｂ）に示すように、接続ダクト３２を通って第１ダクト２６Ａへ送られ（矢印Ａで示す）、建物１０（図１参照）の外側へ排気される。
【００５５】
以上説明したように、ダクトの設置構造３０では、第１ダクト２６Ａ及び第２ダクト２６Ｂの外径Ｄ２よりも小さい外径Ｄ４とされた接続ダクト３２が、中間梁２２のウェブ２２Ａに形成された貫通孔２２Ｄに挿入される。そして、貫通孔２２Ｄに挿入した接続ダクト３２の一端部、他端部に第１ダクト２６Ａ、第２ダクト２６Ｂを接続することで、第１ダクト２６Ａと第２ダクト２６Ｂが中間梁２２を介して接続される。これにより、外側大梁１５（図１参照）よりも内側に設けられた中間梁２２を介して、第１ダクト２６Ａ及び第２ダクト２６Ｂを接続することができる。
【００５６】
また、ダクトの設置構造３０では、第１ダクト２６Ａの端部及び第２ダクト２６Ｂの端部の少なくとも一方が中間梁２２のウェブ２２Ａと接触する。このため、第１ダクト２６Ａ及び第２ダクト２６Ｂの少なくとも一方とウェブ２２Ａとの隙間がほとんどなくなる。これにより、第１ダクト２６Ａ及び第２ダクト２６Ｂの少なくとも一方と接続ダクト３２との隙間から気体（空気）が漏れることがあっても、ウェブ２２Ａ周辺での気体の移動が抑制されるので、第１ダクト２６Ａの端部及び第２ダクト２６Ｂの端部の少なくとも一方からの気体（空気）の漏れを抑制することができる。
【００５７】
さらに、ダクトの設置構造３０では、外側大梁１５よりも内側に設けられた中間梁２２において、接続ダクト３２により第１ダクト２６Ａ及び第２ダクト２６Ｂが接続されるので、中間梁２２の貫通孔２２Ｄの大きさ（直径）に関わらず、第１ダクト２６Ａと第２ダクト２６Ｂが接続可能となる。これにより、中間梁２２を避けてダクト２６を設ける必要がなくなり、ダクト２６の配置に合わせて洗面室１８の天井の高さを変えずに済む。
【００５８】
（第２実施形態）
次に、本発明の第２実施形態に係るダクトの設置構造及び建物の一例について説明する。なお、前述した第１実施形態と基本的に同一の部材には、前記第１実施形態と同一の符号を付与してその説明を省略する。
【００５９】
図５（Ａ）、（Ｂ）には、第２実施形態のダクトの設置構造５０が示されている。ダクトの設置構造５０は、第１実施形態の接続ダクト３２（図２（Ｂ）参照）に換えて、接続ダクト５２を設けた構成となっている。
【００６０】
図５（Ｂ）に示すように、接続ダクト５２は、Ｘ方向を中心軸方向とする円筒部５２Ａと、円筒部５２Ａの外周面から外側へＺ方向に張り出した凸部の一例としてのフランジ部５２Ｂとで構成されている。円筒部５２Ａは、内径がＤ５の円筒体であり、第１ダクト２６Ａの内径Ｄ３（図２（Ｂ）参照）よりも小さい外径Ｄ４の一端部と、第２ダクト２６Ｂの内径Ｄ３（図２（Ｂ）参照）よりも小さい外径Ｄ４の他端部とを備えている。
【００６１】
また、円筒部５２Ａの中心軸方向（Ｘ方向）の長さは、該接続ダクト５２が貫通孔２２Ｄに挿入されウェブ２２Ａに取り付けられた状態において、側面２２Ｆ側に長さＬ２、側面２２Ｅ側に長さＬ３（＜Ｌ２）で露出するように予め設定されている。なお、長さＬ３は、フランジ部５２Ｂから他端部までの長さである。また、長さＬ３が長さＬ２より長く設定されてもよい。
【００６２】
図６（Ａ）、（Ｂ）に示すように、フランジ部５２Ｂは、円筒部５２Ａの外周面に環状に形成されており、一例として、ウェブ２２Ａへの固定のための締結用孔５２Ｃが２箇所（円筒部５２Ａを挟んで両側）に形成されている。フランジ部５２Ｂの直径は、第１ダクト２６Ａ又は第２ダクト２６Ｂ（図２（Ｂ）参照）の外径Ｄ２よりも大きい外径Ｄ６とされている。
【００６３】
一方、図６（Ａ）に示すように、ウェブ２２Ａには、タッピングネジ５４（図６（Ｂ）参照）が締結される締結孔２２Ｇが形成されている。そして、タッピングネジ５４が締結用孔５２Ｃに挿入されると共に締結孔２２Ｇに締結されることで、図５（Ｂ）に示すように、接続ダクト５２がウェブ２２Ａに固定されている。
【００６４】
このようにして、ウェブ２２Ａに取り付けられた接続ダクト５２は、図５（Ａ）、（Ｂ）に示すように、一端部が第１ダクト２６Ａの内側に挿入され、他端部が第２ダクト２６Ｂの内側に挿入されることで、第１ダクト２６Ａと第２ダクト２６Ｂとを接続している。
【００６５】
（作用）
次に、第２実施形態の作用について説明する。
【００６６】
第１ダクト２６Ａと第２ダクト２６Ｂを中間梁２２を介して接続する場合、図７（Ａ）に示すように、中間梁２２の貫通孔２２Ｄに接続ダクト５２を挿入する（ここでは一例として、Ｘ方向とは反対方向である矢印−Ｘ方向に挿入する）。そして、フランジ部５２Ｂをウェブ２２Ａの側面２２Ｅに接触させる。これにより、接続ダクト５２がＸ方向で位置決めされる。
【００６７】
続いて、図６（Ｂ）に示すように、タッピングネジ５４を用いて、フランジ部５２Ｂをウェブ２２Ａの側面２２Ｅ側に固定する。これにより、中間梁２２に対して接続ダクト３２が固定される。
【００６８】
続いて、図７（Ｂ）に示すように、接続ダクト５２の他端部（側面２２Ｅ側）に−Ｘ方向へ向けて第２ダクト２６Ｂを外挿する（第２ダクト２６Ｂ内に接続ダクト５２の他端部を挿入する）。そして、第２ダクト２６Ｂがフランジ部５２Ｂと接触することで、フランジ部５２Ｂがウェブ２２Ａと第２ダクト２６Ｂとで挟まれる。なお、このとき、接続ダクト５２の円筒部５２Ａと第２ダクト２６Ｂとの間に隙間ができないように、予め、円筒部５２Ａの外周面に即乾性の接着剤（即乾性ボンド）を塗布して接続ダクト５２と第２ダクト２６Ｂを接着したり、アルミテープを接続ダクト５２の外周面及び第２ダクト２６Ｂの外周面に巻いて接続ダクト５２と第２ダクト２６Ｂを固定してもよい。
【００６９】
続いて、図７（Ｃ）に示すように、接続ダクト５２の一端部（側面２２Ｆ側）に＋Ｘ方向へ向けて第１ダクト２６Ａを外挿する（第１ダクト２６Ａ内に接続ダクト５２の一端部を挿入する）。なお、このとき、接続ダクト５２と第１ダクト２６Ａとの間に隙間ができないように、予め、円筒部５２Ａの外周面に即乾性の接着剤（即乾性ボンド）を塗布して接続ダクト５２と第１ダクト２６Ａを接着したり、アルミテープを接続ダクト５２の外周面及び第１ダクト２６Ａの外周面に巻いて接続ダクト５２と第１ダクト２６Ａを固定してもよい。
【００７０】
続いて、図５（Ｂ）に示すように、第１ダクト２６Ａの端部をウェブ２２Ａの側面２２Ｆに接触させる。このようにして、中間梁２２を挟んで両側に配置された第１ダクト２６Ａと第２ダクト２６Ｂが、接続ダクト５２によって接続され、ダクトの設置構造５０が形成される。そして、セントラル換気扇２４（図１参照）によって第２ダクト２６Ｂへ送り込まれた気体（空気）が、接続ダクト５２を通って第１ダクト２６Ａへ送られ（矢印Ａで示す）、建物１０（図１参照）の外側へ排気される。
【００７１】
以上説明したように、ダクトの設置構造５０では、第１ダクト２６Ａ及び第２ダクト２６Ｂの外径Ｄ２よりも小さい外径Ｄ４とされた接続ダクト５２が、中間梁２２のウェブ２２Ａに形成された貫通孔２２Ｄに挿入される。そして、貫通孔２２Ｄに挿入した接続ダクト５２の一端部、他端部に第１ダクト２６Ａ、第２ダクト２６Ｂを接続することで、第１ダクト２６Ａと第２ダクト２６Ｂが中間梁２２を介して接続される。これにより、外側大梁１５（図１参照）よりも内側に設けられた中間梁２２を介して、第１ダクト２６Ａ及び第２ダクト２６Ｂを接続することができる。
【００７２】
また、ダクトの設置構造５０では、第２ダクト２６Ｂの端部が接続ダクト５２のフランジ部５２Ｂと接触し、第１ダクト２６Ａの端部が中間梁２２のウェブ２２Ａと接触する。このため、第１ダクト２６Ａとウェブ２２Ａとの隙間、及び第２ダクト２６Ｂとフランジ部５２Ｂとの隙間がほとんどなくなる。これにより、第１ダクト２６Ａ及び第２ダクト２６Ｂの少なくとも一方と接続ダクト５２との隙間から気体（空気）が漏れることがあっても、ウェブ２２Ａ周辺での気体の移動が抑制されるので、第１ダクト２６Ａの端部及び第２ダクト２６Ｂの端部の少なくとも一方からの気体（空気）の漏れを抑制することができる。
【００７３】
さらに、ダクトの設置構造５０では、外側大梁１５よりも内側に設けられた中間梁２２において、接続ダクト５２により第１ダクト２６Ａ及び第２ダクト２６Ｂが接続されるので、中間梁２２の貫通孔２２Ｄの大きさ（直径）に関わらず、第１ダクト２６Ａと第２ダクト２６Ｂが接続可能となる。これにより、中間梁２２を避けてダクト２６を設ける必要がなくなり、ダクト２６の配置に合わせて洗面室１８の天井の高さを変えずに済む。
【００７４】
加えて、ダクトの設置構造５０では、接続ダクト５２をウェブ２２Ａの貫通孔２２Ｄに挿入したとき、フランジ部５２Ｂがウェブ２２Ａと接触することで、接続ダクト５２のＸ方向の位置が決まる。このように、中間梁２２のウェブ２２Ａに対して接続ダクト５２を位置決めすることができる。
【００７５】
また、ダクトの設置構造５０では、既述のように、ウェブ２２Ａと第２ダクト２６Ｂとの間にフランジ部５２Ｂが配置されることで、ウェブ２２Ａと第２ダクト２６Ｂとの隙間が埋められる。これにより、第１ダクト２６Ａから第２ダクト２６Ｂまでの気体の流路の気密性を高めることができる。さらに、フランジ部５２Ｂによってウェブ２２Ａと接続ダクト５２との接触面積が増加するので、接続ダクト５２の位置決めが容易となる。
【００７６】
（第３実施形態）
次に、本発明の第３実施形態に係るダクトの設置構造及び建物の一例について説明する。なお、前述した第１、第２実施形態と基本的に同一の部材には、前記第１、第２実施形態と同一の符号を付与してその説明を省略する。
【００７７】
図８（Ａ）、（Ｂ）には、第３実施形態のダクトの設置構造６０が示されている。ダクトの設置構造６０は、第２実施形態の接続ダクト５２（図５（Ｂ）参照）に加えて、閉塞手段及び筒体の一例としての接続フード６２が設けられている。さらに、ダクトの設置構造６０では、第２ダクト２６Ｂに換えて、第２ダクト２６Ｂよりも大径の第２ダクト６４を設けた構成となっている。
【００７８】
図８（Ｂ）及び図９に示すように、接続フード６２は、Ｘ方向を中心軸方向とする第１円筒部６２Ａと、第１円筒部６２ＡのＸ方向の他端に連続して形成されＸ方向へ向かうのに伴ってＺ方向に拡径する拡径部６２Ｂと、拡径部６２ＢのＸ方向の他端に連続して形成されＸ方向を中心軸方向とする第２円筒部６２Ｃと、で構成されている。
【００７９】
図８（Ｂ）に示すように、第１円筒部６２Ａの内径はＤ７となっており、第２円筒部６２Ｃの外径はＤ８となっている。また、第２ダクト６４の内径Ｄ９は第２円筒部６２Ｃの外径Ｄ８とほぼ同じ大きさとなっており、第２ダクト６４の外径はＤ１０となっている。これにより、第１円筒部６２Ａに接続ダクト５２が接続可能で、第２円筒部６２Ｃに第２ダクト６４が接続可能となっている。なお、一例として、第２円筒部６２Ｃの中心軸方向（Ｘ方向）の長さは、第１円筒部６２Ａの中心軸方向の長さよりも長くなっている。
【００８０】
（作用）
次に、第３実施形態の作用について説明する。
【００８１】
第１ダクト２６Ａと第２ダクト６４を中間梁２２を介して接続する場合、図１０（Ａ）に示すように、中間梁２２の貫通孔２２Ｄに接続ダクト５２を挿入する。そして、フランジ部５２Ｂをウェブ２２Ａの側面２２Ｅに接触させる。これにより、接続ダクト５２がＸ方向で位置決めされる。
【００８２】
続いて、図１０（Ｂ）に示すように、接続ダクト５２の円筒部５２Ａの他端側に接続フード６２の第１円筒部６２Ａを外挿する（第１円筒部６２Ａ内に接続ダクト５２の他端部を挿入する）。なお、第１円筒部６２Ａは、フランジ部５２Ｂと接触する位置まで外挿される。
【００８３】
続いて、図１０（Ｃ）に示すように、接続フード６２の第２円筒部６２Ｃに−Ｘ方向へ向けて第２ダクト６４を外挿する（第２ダクト６４内に第２円筒部６２Ｃを挿入する）。なお、このとき、接続フード６２の第２円筒部６２Ｃと第２ダクト６４との間に隙間ができないように、予め、第２円筒部６２Ｃの外周面に即乾性の接着剤（即乾性ボンド）を塗布して接続フード６２と第２ダクト６４を接着したり、アルミテープを接続フード６２の外周面及び第２ダクト６４の外周面に巻いて接続フード６２と第２ダクト６４を固定してもよい。
【００８４】
さらに、接続ダクト５２の一端部（側面２２Ｆ側）に＋Ｘ方向へ向けて第１ダクト２６Ａを外挿する（第１ダクト２６Ａ内に接続ダクト５２の一端部を挿入する）。なお、このとき、接続ダクト５２と第１ダクト２６Ａとの間に隙間ができないように、予め、円筒部５２Ａの外周面に即乾性の接着剤（即乾性ボンド）を塗布して接続ダクト５２と第１ダクト２６Ａを接着したり、アルミテープを接続ダクト５２の外周面及び第１ダクト２６Ａの外周面に巻いて接続ダクト５２と第１ダクト２６Ａを固定してもよい。
【００８５】
続いて、図８（Ｂ）に示すように、第１ダクト２６Ａの端部をウェブ２２Ａの側面２２Ｆに接触させる。このようにして、中間梁２２を挟んで両側に配置された第１ダクト２６Ａと第２ダクト６４が、接続ダクト５２及び接続フード６２によって接続され、ダクトの設置構造６０が形成される。そして、セントラル換気扇２４（図１参照）によって第２ダクト６４へ送り込まれた気体（空気）が、接続フード６２及び接続ダクト５２を通って第１ダクト２６Ａへ送られ（矢印Ａで示す）、建物１０（図１参照）の外側へ排気される。
【００８６】
以上説明したように、ダクトの設置構造６０では、接続ダクト５２及び接続フード６２を用いることで、外側大梁１５（図１参照）よりも内側に設けられた中間梁２２を介して、第１ダクト２６Ａ及び第２ダクト６４を接続することができる。
【００８７】
また、ダクトの設置構造６０では、第１ダクト２６Ａの端部が中間梁２２のウェブ２２Ａと接触する。このため、第１ダクト２６Ａとウェブ２２Ａとの隙間がほとんどなくなる。これにより、第１ダクト２６Ａと接続ダクト５２との隙間から気体（空気）が漏れることがあっても、ウェブ２２Ａ周辺での気体の移動が抑制されるので、第１ダクト２６Ａの端部からの気体（空気）の漏れを抑制することができる。なお、接続フード６２の第２円筒部６２Ｃに環状のフランジ部を設けた場合は、第２ダクト６４の端部からの気体（空気）の漏れも抑制することができる。
【００８８】
さらに、ダクトの設置構造６０では、中間梁２２において、接続ダクト５２及び接続フード６２により第１ダクト２６Ａ及び第２ダクト６４が接続されるので、中間梁２２の貫通孔２２Ｄの大きさ（直径）に関わらず、第１ダクト２６Ａと第２ダクト６４が接続可能となる。これにより、中間梁２２を避けてダクト２６を設ける必要がなくなり、第１ダクト２６Ａ及び第２ダクト６４の配置に合わせて洗面室１８（図１参照）の天井の高さを変えずに済む。
【００８９】
加えて、ダクトの設置構造６０では、ウェブ２２Ａと接続フード６２との間にフランジ部５２Ｂが配置されることで、ウェブ２２Ａと接続フード６２との隙間が埋められる。これにより、第１ダクト２６Ａから第２ダクト６４までの気体の流路の気密性を高めることができる。
【００９０】
また、ダクトの設置構造６０では、接続ダクト５２の外周面と、第２ダクト６４の内周面との隙間が、接続フード６２によって閉じられる。これにより、接続ダクト５２と第２ダクト６４との接続部分の隙間から気体が漏れるのを抑制することができる。
【００９１】
さらに、ダクトの設置構造６０では、接続ダクト５２の外径Ｄ４と、第２ダクト６４の内径Ｄ９との差が大きい構成であっても、接続フード６２によって接続ダクト５２と第２ダクト６４とが接続されて隙間が閉塞されるので、接続ダクト５２と第２ダクト６４との接続部分の隙間から気体が漏れるのを抑制することができる。
【００９２】
なお、本発明は上記の実施形態に限定されない。
【００９３】
図１１に示すように、閉塞手段の他の例として、第３実施形態の接続フード６２に換えて、Ｘ方向を中心軸方向とする厚肉で環状の閉塞部材７２を設けてもよい。この場合、閉塞部材７２の内径をＤ７とし、外径をＤ８とすればよい。また、図１１において、閉塞部材７２及び第２ダクト６４の端部をフランジ部５２Ｂまで移動させて接触させ、接続ダクト５２と第２ダクト６４の気密性を高めてもよい。
【００９４】
また、図８（Ｂ）において、接続ダクト５２の外周面と接続フード６２の拡径部６２Ｂの内周面との間に気体が滞留する場合は、接続ダクト５２の円筒部５２ＡのＸ方向の長さを短くして接続フード６２の第１円筒部６２Ａと同じ長さとするか、接続フード６２の第１円筒部６２ＡのＸ方向の長さを長くして接続ダクト５２の円筒部５２Ａと同じ長さとすればよい。なお、接続ダクト５２と接続フード６２を一体化したものであってもよい。
【００９５】
さらに、セントラル換気扇２４及び中間梁２２を設ける場所は、建物１０内の洗面室１８に限らず、廊下、台所やリビング等、他の場所であってもよい。
【００９６】
加えて、凸部の他の例として、円筒状の接続ダクトの外周面に１箇所又は周方向に沿って複数箇所のブロック状（立方体又は直方体状）あるいは板状の凸部を形成して、接続ダクトの位置決めを行ってもよい。
【００９７】
また、第１〜第３実施形態のダクトの設置構造３０、５０、６０（７０も含む）において、第１ダクト２６Ａと第２ダクト２６Ｂ、６４が入れ替わった構成であってもよい。そして、第１ダクト２６Ａの端部と第２ダクト２６Ｂ、６４の端部の両方がウェブ２２Ａと接触していてもよい。さらに、接続ダクト３２、５２の外周面と第１ダクト２６Ａ及び第２ダクト２６Ｂ、６４の内周面との隙間に閉塞手段を設けてもよい。
【００９８】
加えて、第１ダクト２６Ａ側（外壁１６側）を第２ダクト２６Ｂ、６４側よりも下げて、ダクト２６に勾配を形成してもよい。
【００９９】
また、ダクト２６は、内側も蛇腹状で薄肉のダクトであってもよい。さらに、以上の構成は、ダクト２８側に設けてもよい。
【符号の説明】
【０１００】
１０  建物
１５  外側大梁（外壁側の大梁の一例）
１６  外壁
２２  中間梁（梁の一例）
２２Ａ  ウェブ
２２Ｄ  貫通孔
２６Ａ  第１ダクト
２６Ｂ  第２ダクト
２８Ａ  第１ダクト
２８Ｂ  第２ダクト
３０  ダクトの設置構造
３２  接続ダクト
５０  ダクトの設置構造
５２  接続ダクト
５２Ｂ  フランジ部（凸部の一例）
６０  ダクトの設置構造
６２  接続フード（閉塞手段、筒体の一例）
６４  第２ダクト
７０  ダクトの設置構造
７２  閉塞部材（閉塞手段の他の例）
【図１】
2013076534.tif 000003
【図２】
2013076534.tif 000004
【図３】
2013076534.tif 000005
【図４】
2013076534.tif 000006
【図５】
2013076534.tif 000007
【図６】
2013076534.tif 000008
【図７】
2013076534.tif 000009
【図８】
2013076534.tif 000010
【図９】
2013076534.tif 000011
【図１０】
2013076534.tif 000012
【図１１】
2013076534.tif 000013